(57)【要約】【課題】ブラインド部材が巻上げロッドに完全に巻き上げられた時、外部ブラインドと内部ブラインドとが巻上げロッドでカールして巻き付くことを防ぐ高さおよび明るさ調整用厚地製ブラインドを提供する。【解決手段】窓に設置されて外部光を侵入させたり、内部光を漏らしたりすることを防ぐ巻上げ式のブラインドに係り、とりわけ、予負荷用の荷重部材（１０）のもとで、厚地製の内ブラインド部（７ａ）および外ブラインド部（７ｂ）を緊張させた状態で吊り下げているので、常に内ブラインド部（７ａ）と外ブラインド部（７ｂ）との間に一様で平行な間隔（ｔ）を保つことができる。【選択図】図６
2008538398.tif 000002
【特許請求の範囲】
【請求項１】
一端を巻上げロッド（４）に取り付け、他端を上部支持バー（２）に取り付けたブラインド部材（７）と、内ブラインド部（７ａ）と外ブラインド部（７ｂ）との間のループ部に取り付けられて前記ブラインド部材（７）を緊張状態に保つ予負荷用の荷重部材（１０）とを有する高さおよび明るさ調整用厚地製ブラインド（１）において、
前記上部支持バー（２）は一端に、回転部材（１２）により回転する回転部（１１）を取り付けており、前記ブラインド部材（７）の一端は前記回転部（１１）の外部に固定されており、前記巻上げロッド（４）に巻き上げられた前記ブラインド部材（７）の巻上げ量の多少に関係なく、前記回転部（１１）の一端が前記ブラインド部材（７）に接触するようになっていることを特徴とする高さおよび明るさ調整用厚地製ブラインド（１）。
【請求項２】
前記回転部材（１２）は、前記上部支持バー（２）の一端に形成された第１保持部材（１３ａ）および前記回転部（１１）の一端に形成されて前記上部支持バー（２）の前記第１保持部材（１３ａ）に嵌め込まれた第２保持部材（１３ｂ）とを含むことを特徴とする請求項１に記載の高さおよび明るさ調整用厚地製ブラインド（１）。
【請求項３】
前記回転部材（１２）は、前記上部支持バー（２）と前記回転部（１１）との間に設けられた一つあるいはそれ以上のヒンジ（１４）であることを特徴とする請求項１に記載の高さおよび明るさ調整用厚地製ブラインド（１）。
【請求項４】
前記ヒンジ（１４）は、前記上部支持バー（２）に一体に形成された保持リング（１５ａ、１５ｂ）、前記回転部（１１）および前記保持リング（１５ａ、１５ｂ）に嵌め込まれて軸方向に相互に連結されて相対的に回転する支持部材（１７）を含むことを特徴とする請求項３に記載の高さおよび明るさ調整用厚地製ブラインド（１）。
【請求項５】
繊維保護部材（１８）は、前記回転部（１１）の下部に設けられ、前記巻上げロッド（４）に巻き上げられた前記ブラインド部材（７）に接触していることを特徴とする請求項１に記載の高さおよび明るさ調整用厚地製ブラインド（１）。
【請求項６】
繊維保護部材（１８）は、前記回転部（１１）の内面側に回転可能に設けられたローラであることを特徴とする請求項５に記載の高さおよび明るさ調整用厚地製ブラインド（１）。
【請求項７】
繊維保護部材（１８）は、前記回転部（１１）の内面側に回転可能に設けられて前記ブラインド部材（７）に接触する柔らかな毛髪部材であることを特徴とする請求項５に記載の高さおよび明るさ調整用厚地製ブラインド（１）。
【発明の詳細な説明】
【技術分野】
【０００１】
本発明は、窓に設置されて外部光を侵入させたり、内部光を漏らしたりすることを防ぐ巻上げ式のブラインドに係り、とりわけ、予負荷用の荷重部材を加えることにより厚地製の内ブラインド部および外ブラインド部を緊張させた状態で吊り下げ、常に内外ブラインド部間に一様の間隔を保つことができる高さおよび明るさ調整用厚地製ブラインドに関する。
【背景技術】
【０００２】
一般に、遮蔽部材は、外部から部屋が見えないように窓の内部に設置されて、開閉操作により、太陽といった外部光源からの明りの強さを調節する。かかる遮蔽部材は、部屋の明るさを調節する際、一部が上下左右に必然的に移動してしまうものである。これにより、部屋が窓から外部に露呈されてプライバシーの侵害を招く。
最近、提案されたブラインドでは、透光面部と不透光面部が繰り返し交互に延出し、部屋の一部も露出することなく、部屋の明るさを調節できるようになっている。
【０００３】
図１は、従来の高さおよび明るさ調整用厚地製ブラインドの斜視図で、図２は図１の縦断面図である。図１および図２において、従来の高さおよび明るさ調整用厚地製ブラインド１は、両ブラケット３、３の間に設けられた巻上げロッド４を備えている。ブラケット３は、上部支持バー２の両側に対向状態に設けられている。巻上げロッド４は、制御綱部５により駆動されるスプロケット部材６を介して取り付けられている。
【０００４】
ブラインド部材７には、透光面部８ａと不透光面部８ｂとが繰り返して形成されており、上部支持バー２は、ブラインド部材７の一端部である後面部が固定された取付部２ａと一体になっている。ブラインド部材７の他端部である前面部は、巻上げロッド４に固定されている。
【０００５】
巻上げロッド４は、一端部で取付部４ａと一緒に形成され、ブラインド部材７は他端で取付固定バー９ａに設けられている。この状態で、取付固定バー９ａは取付部４ａに嵌め込まれて、ブラインド部材７の他端を巻上げロッド４に固定している。
【０００６】
この一方、上部支持バー２は、取付溝部２ｂに形成した取付部２ａを有し、ブラインド部材７は、一端部で取付固定バー９ｂに固定され、この取付固定バー９ｂが取付溝部２ｂに嵌め込まれている。
【０００７】
上述の如く、ブラインド部材７は、一端が上部支持バー２に固定され、他端が巻上げロッド４に固定されている。これにより、ブラインド部材７がループ状になって吊り下げられた形態となる。すなわち、ブラインド部材７は、上部支持バー２から延び出た内ブラインド部７ａおよび外ブラインド部７ｂによりＵ字状をなしている。
ループ状になって吊り下がるブラインド部材７の下部には、ブラインド部材７を緊張状態に保つ予負荷用の荷重部材１０を設けている。
【０００８】
このため、上部支持バー２側に設けたスプロケット部材６の制御綱部５を反時計回り方向に引くと、巻上げロッド４が反時計回り方向に回り、巻上げロッド４の取付部４ａに固定された内ブラインド部７ａが巻上げロッド４に巻き上げられ、窓を覆ったブラインド部材７が徐々に引き上げられる。
内ブラインド部７ａが巻上げロッド４に巻き上げられて、ブラインド部材７の下端部が徐々に引き上げられた時、ループ部に取り付けられた荷重部材１０はブラインド部材７を緊張状態に保ち、ブラインド部材７が巻上げロッド４に巻き上げられ易くなるようにしている。
【０００９】
これに対して、スプロケット部材６の制御綱部５を時計回り方向となるように引き出すと、巻上げロッド４が時計回り方向に回転し、巻上げロッド４に巻き上げられたブラインド部材７が徐々に繰り出されて吊り下がるようになる。ブラインド部材７が繰り出された時、ループ部に設けられた荷重部材１０はブラインド部材７を緊張状態に維持する。
【００１０】
上述の如く、従来の高さおよび明るさ調整用厚地製ブラインド１は、巻上げロッド４に巻き上げられたり、巻上げロッド４から繰り出されたりもするが、薄地のブラインド部材７では問題がないものの、冬季に遮蔽の目的で、厚地のブラインド部材７を所定高さの窓に用いると、ブラインド部材７の外径が巻上げロッド４で大きくなるという問題がある。  
【００１１】
ブラインド部材７が、巻上げロッド４の取付部４ａおよび取付部２ａの取付溝部２ｂに固定され、最大の長さで吊り下がって窓を完全に閉鎖しておれば、内ブラインド部７ａと外ブラインド部７ｂとは、問題を生じることなく互いに平行に保たれている。
【００１２】
制御綱部５を引いて、巻上げロッド４を巻き上げ方向（ブラインド部材７の時計回り方向）に回転して窓を露出させると、ブラインド部材７が巻上げロッド４に徐々に巻き上げられ、ループ部に設けられた荷重部材１０が引き上げられる。ブラインド部材７が巻上げロッド４に徐々に巻き上げられるに伴い、巻上げロッド４の外径が大きくなるため、内ブラインド部７ａと外ブラインド部７ｂとは、互いに一定の距離を保てなくなり、ブラインド部材７の巻上げ部位で重なり合う。巻上げロッド４の回転時、外ブラインド部７ｂが巻上げロッド４で内ブラインド部７ａと一緒になってカールして巻き付くことになる。
【００１３】
巻上げロッド４に巻き上げられたブラインド部材７の外径が最大になった時、外ブラインド部７ｂと内ブラインド部７ａとが平行状態を保っていれば、ブラインド部材７が巻上げロッド４に最大限に巻き上げられ、荷重部材１０が上死点に引き上げられても、外ブラインド部７ｂと内ブラインド部７ａとの平行状態は保たれる。
【発明の開示】
【発明が解決しようとする課題】
【００１４】
しかしながら、窓を完全に覆うため、制御綱部を引き出して、巻上げロッドをブラインド部材の反時計回り方向に回転すると、外ブラインド部と内ブラインド部との距離は大きくなる。これと同時に、荷重部材がブラインド部材に取り付けられていることから、ブラインド部材は側面部から見るとＶ字状を形成する。このため、透光面部と不透光面部とを一致させたり、両者の重複度合いを調節する際、ブラインド部材の透光度ないしは遮光度を調節することが不可能となる。
【００１５】
本発明は、上述した従来技術の欠点を解決すべくなされたもので、その目的は、外ブラインド部と内ブラインド部とが予負荷用の荷重部材によりループ状をなして、ブラインド部材が巻上げロッドに巻上げられても、巻上げロッドから繰り出されても、外ブラインド部と内ブラインド部との間に、互いに一定の距離を常に隔てて平行状態を保つことができる高さおよび明るさ調整用厚地製ブラインドを提供することにある。
【課題を解決するための手段】
【００１６】
上記目的を達成するため、本発明では、ブラインド部材は厚地材料で形成されて、一端が巻上げロッドに取り付けられ、他端が上部支持バーに取り付けられ、予負荷用の荷重部材は外ブラインド部と内ブラインド部との間のループ部に取り付けられて、ブラインド部材を緊張状態に保持している。上部支持バーは、一端が回転部材により回転する回転部に形成され、巻上げロッドに巻上げられたブラインド部材の巻上げ量の多少に関係なく、回転部は常にブラインド部材に接触しており、ブラインド部材の一端は回転部の外部に固定されている。
【００１７】
上述した本発明の高さおよび明るさ調整用厚地製ブラインドによれば、ブラインド部材が固定された回転部の一端は、巻上げロッドの外径、すなわち巻上げロッドに巻上げられたブラインド部材の巻上げ量の多少に関係なく、ブラインド部材の外周面部に常に接触しており、外部ブラインドと内部ブラインドとの間の距離を一定に保っている。
このため、ブラインド部材が巻上げロッドに完全に巻き上げられた時、巻上げロッドに対して外ブラインド部が巻き付くことが防がれる。さらに、ブラインド部材が巻上げロッドから完全に繰り出された時、ブラインド部材の透光量を適宜に調節することが可能となる。
【００１８】
回転部の下部に繊維保護部材が設けられた場合、繊維保護部材は、ブラインド部材と回転部との間の摩擦による静電気の発生、ブラインド部材と回転部との接触による接触痕ならびに毛羽の発生を未然に防ぎ、ブラインド部材の長寿命化に寄与する。
【発明を実施するための最良の形態】
【００１９】
本発明では、巻上げロッドに巻上げられたブラインド部材の巻上げ量の多少に関係なく、外部ブラインドと内部ブラインドとの間の距離が一定に保たれている。このため、ブラインド部材が巻上げロッドに完全に巻き上げられた時、外部ブラインドと内部ブラインドとが巻上げロッドで巻き付き合うことが防がれる。
【実施例１】
【００２０】
本発明の好ましい実施例１を図面を参照しながら説明する。
図５および図６は、本発明の実施例１による高さおよび明るさ調整用厚地製ブラインドの縦断面図であり、図７および図８は、本発明の実施例２による高さおよび明るさ調整用厚地製ブラインドに適用された回転部材を示す縦断面図であり、図９は、本発明の実施例３による高さおよび明るさ調整用厚地製ブラインドに適用された繊維保護部材を示す縦断面図である。なお、実施例１〜３では、便宜上の理由から従来技術の図１〜図４とも共通の符号を用いて説明している。
【００２１】
本発明では、ブラインド部材７は、その一端が巻上げロッド４の取付部４ａに嵌め込まれた状態で巻上げロッド４に取り付けられている。上部支持バー２は、その上端部で回転部１１を取り付け、回転部１１は回転部材１２により回転する。回転部１１は、その一端を、巻上げロッド４に巻上げられたブラインド部材７の巻上げ量の多少に関係なく、ブラインド部材７に接触させている。ブラインド部材７は、その他端を回転部１１の外部で固定している。ブラインド部材７の他端は、バンドや螺子といった別の固定手段を用いることにより、回転部１１の外側に固定してもよい。
【００２２】
ブラインド部材７を高さおよび明るさ調整用厚地製ブラインド１に着脱可能に取り付けるためには、回転部１１は、その外部に取付溝１１ｂを有する取付部１１ａを設け、ブラインド部材７は取付固定バー９ｂに固定されており、取付固定バー９ｂを取付溝１１ｂ内に嵌合することで、組付けの容易性を考慮している。
【００２３】
図５および図６において、回転部材１２は、回転部１１を回転すべく上部支持バー２の一端と回転部１１との間に設けられている。この回転部材１２は、上部支持バー２の一端に形成された第１保持部材１３ａおよび回転部１１の一端に形成された第２保持部材１３ｂを備え、回転部１１は、巻上げロッド４に巻き上げられるブラインド部材７の巻上げ量に応じて回転するため、回転部１１はその一端を常にブラインド部材７に接触させることができる。
【実施例２】
【００２４】
図７および図８に示す実施例２において、回転部材１２は、上部支持バー２と回転部１１との間に、一つあるいはそれ以上のヒンジ１４として形成されている。回転部１１は、巻上げロッド４に巻き上げられるブラインド部材７の巻上げ量に応じて回転するため、回転部１１はその一端を常にブラインド部材７に接触させることができる。
【００２５】
ヒンジ１４は、上部支持バー２に一体に形成した保持リング１５ａおよび回転部１１に一体に形成した保持リング１５ｂを備え、支持部材１７はその対応端部を保持リング１５ａ、１５ｂにそれぞれ嵌め込み、回転のためシャフト１６を介して保持リング１５ａ、１５ｂに連結されている。
上述のように、支持部材１７が、上部支持バー２と回転部１１との対向面に設けられた保持リング１５ａ、１５ｂにシャフト１６を介して連結されているため、巻上げロッド４に対する回転部１１の回転は、ブラインド部材７の巻上げ方向および繰出し方向に円滑に行われる。
【実施例３】
【００２６】
図９に示す実施例３において、繊維保護部材１８は、回転部１１の下端の内側に設けられ、巻上げロッド４に巻き上げられたブラインド部材７に接触している。繊維保護部材１８は、繊維で形成されたブラインド部材７に直接接触するため、ブラインド部材７と回転部１１との摩擦に起因する静電気の発生、ならびにブラインド部材７と回転部１１との接触に起因する接触痕を防ぐと同時に、ブラインド部材７の毛羽の発生を防いだり減少させる。
【００２７】
繊維保護部材１８が図５ないし図７に示すように、回転部１１の内面に回転可能に設けられたローラを成していても、ブラインド部材７に接触させる繊維保護部材１８をモヘヤといった滑らかな毛髪部材により回転部１１の内面に形成することができる（図８および図９参照）。繊維保護部材１８がローラとして形成された場合、ローラの外周縁部には保護機能を改良する上でウレタンゴムといった滑らかな樹脂材を塗布することが望ましい。  
【００２８】
本発明における高さおよび明るさ調整用厚地製ブラインド１の作動について詳細に説明する。
図５は、巻上げロッド４に巻上げられたブラインド部材７を示し、ブラインド部材７の外径が巻上げロッド４で最大になっている。ブラインド部材７が巻上げロッド４に最大まで巻上げられた場合、回転部１１の下部に設けられ、ローラまたは柔らかな毛髪部材に形成された繊維保護部材１８は、ブラインド部材７の外周面に接触し、回転部１１が回転部材１２に対して反時計回り方向に最大まで回転した状態に保持される。
【００２９】
ブラインド部材７の内ブラインド部７ａは、巻上げロッド４の外周面から吊り下げられており、外ブラインド部７ｂは回転部１１の取付部１１ａに嵌め込まれて吊り下がり、内ブラインド部７ａと外ブラインド部７ｂとの間に一様な間隔ｔが保たれている（図５および図６参照）。
【００３０】
上記構成で、開いた窓（図示せず）を閉じようとして、制御綱部５を引き出して巻上げロッド４を時計回り方向に回転すると、巻上げロッド４に巻き上げられたブラインド部材７が徐々に繰り出し、予負荷用の荷重部材１０の重さを受けて、内ブラインド部７ａおよび外ブラインド部７ｂがループ状に吊り下がって窓を閉鎖する。
【００３１】
ブラインド部材７が巻上げロッド４から徐々に繰り出すに伴って、巻上げロッド４に巻き上げられたブラインド部材７の外径寸法が減少し、上記作動を介してブラインド部材７が吊り下がっても、回転部１１に取り付けられた繊維保護部材１８は、荷重部材１０の影響もあって常にブラインド部材７に接触しているため、内ブラインド部７ａと外ブラインド部７ｂとの間に一様な間隔が保たれている。
【００３２】
ブラインド部材７が窓を完全に覆っている際、透光量を調節するためには、制御綱部５を引き出すことにより、ブラインド部材７の透光面部８ａと不透光面部８ｂとを互いに一致させたり食い違いさせたりする。一様の間隔を保った内ブラインド部７ａと外ブラインド部７ｂとは、薄地のブラインド部材であっても、上記と同様に作動させることができ、透光量を調節する上で好都合である。
【００３３】
制御綱部５の精密な調節による透光量の制御については、本願と同一出願人による韓国実用新案登録第２７９１６６号公報に詳しいため、詳細な説明は省く。
一方、ブラインド部材７が最大限まで吊り下げられて窓を覆っている際、窓を開けるため、図６に示すように、制御綱部５を引き出し、巻上げロッド４を反時計回り方向に回転すると、巻上げロッド４から繰り出したブラインド部材７は巻上げロッド４に徐々に巻き上げられる。
【００３４】
このため、ブラインド部材７の外径は、巻上げロッド４で大きくなり、巻上げロッド４に巻き上げられたブラインド部材７の外周面は、回転部１１の繊維保護部材１８と連続的に接触するので、回転部材１２により回転可能に設けられて上部支持バー２に設けられた回転部１１は、反時計回り方向に回転する。
【００３５】
高さおよび明るさ調整用厚地製ブラインド１によれば、内ブラインド部７ａと外ブラインド部７ｂとの間に所定の距離が保たれていることから、巻上げロッド４に巻き上げられたブラインド部材７の巻上げ量の多少に関係なく、部屋の光の強さを所望に調節することができる。なお、上述の記載は好ましい実施例についての説明であり、本発明の要旨を逸脱しない範囲で種々変更することができる。
【産業上の利用可能性】
【００３６】
本発明では、巻上げロッドに巻上げられたブラインド部材の巻上げ量の多少に関係なく、外部ブラインドと内部ブラインドとの間の距離が一定に保たれている。このため、ブラインド部材が巻上げロッドに完全に巻き上げられた時、外部ブラインドと内部ブラインドとが巻上げロッドで巻き付き合うことが防がれる。使い勝手がよく、機能性に優れた利点からインテリア業界の需要を促し、関連部品の流通を介して機械業界に広く適用することができる。
【図面の簡単な説明】
【００３７】
【図１】従来の高さおよび明るさ調整用厚地製ブラインドの斜視図である。
【図２】図１における縦断面図である。
【図３】取付部から垂直に吊り下がるブラインド部材が巻上げロッドに巻き上げられたブラインド部材と接触して両者がカールして巻き付く従来の高さおよび明るさ調整用厚地製ブラインドを示す縦断面図である。
【図４】ブラインド部材が巻上げロッドに最大限に巻き上げられながら、内部ブラインドと外部ブラインドとの間に一定の間隔を空けた状態で、巻上げロッドに巻き上げられたブラインド部材が最大の長さに吊り下がっている従来の高さおよび明るさ調整用厚地製ブラインドを示す縦断面図である。
【図５】本発明の実施例１により、ブラインド部材が巻上げロッドに最大限に巻き上げられた高さおよび明るさ調整用厚地製ブラインドを示す縦断面図である。
【図６】本発明の実施例１により、ブラインド部材が巻上げロッドから繰り出された高さおよび明るさ調整用厚地製ブラインドを示す縦断面図である。
【図７】本発明の実施例２により、回転部材が組み込まれた高さおよび明るさ調整用厚地製ブラインドを示す縦断面図である。
【図８】本発明の実施例２により、回転部材が組み込まれた高さおよび明るさ調整用厚地製ブラインドを示す縦断面図である。
【図９】本発明の実施例３により、繊維保護部材が組み込まれた高さおよび明るさ調整用厚地製ブラインドを示す縦断面図である。
【符号の説明】
【００３８】
１      高さおよび明るさ調整用厚地製ブラインド
２      上部支持バー
４      巻上げロッド
７      ブラインド部材
７ａ    内ブラインド部
７ｂ    外ブラインド部
８ａ    透光面部
８ｂ    不透光面部
１１    回転部
１２    回転部材
１３ａ  第１保持部材
１３ｂ  第２保持部材
１４    ヒンジ
１５ａ、１５ｂ  保持リング
１７    支持部材
１８    繊維保護部材
【図１】
2008538398.tif 000003
【図２】
2008538398.tif 000004
【図３】
2008538398.tif 000005
【図４】
2008538398.tif 000006
【図５】
2008538398.tif 000007
【図６】
2008538398.tif 000008
【図７】
2008538398.tif 000009
【図８】
2008538398.tif 000010
【図９】
2008538398.tif 000011
【国際調査報告】
2008538398.tif 000012
2008538398.tif 000013